(57)【要約】【課題】取引中に読取った帳票が他の帳票に差換えられたことを検知することができるようにする。【解決手段】取引の開始時に読取った帳票のイメージデータを記憶部１５に記憶させておき、その記憶部１５に記憶した帳票のイメージデータと該取引の開始後に読取った帳票のイメージデータとを比較して一致しないことを検知したとき、帳票が差換えられたと判定する帳票監視手段１６１を設けた。【選択図】        図１
2009232179.tif 000002
【特許請求の範囲】
【請求項１】
帳票載置台に載置された帳票のイメージデータを非接触型スキャナで読取るスキャナ装置において、
取引の開始時に読取った帳票のイメージデータを記憶しておく記憶部と、
前記記憶部に記憶した帳票のイメージデータと該取引の開始後に読取った帳票のイメージデータとを比較して一致しないことを検知したとき、帳票が差換えられたと判定する帳票監視手段とを設けたことを特徴とするスキャナ装置。
【請求項２】
請求項１のスキャナ装置において、
オペレータの操作により挿入された帳票の印字領域に印字する印字部を備え、
前記帳票監視手段が、前記記憶部に記憶した帳票のイメージデータと前記印字部が印字前、印字中、または印字後に読取った帳票のイメージデータとを比較するようにしたことを特徴とするスキャナ装置。
【請求項３】
請求項２のスキャナ装置において、
前記帳票監視手段が、前記印字部に覆われない帳票の部位のイメージデータを切り出して比較するようにしたことを特徴とするスキャナ装置。
【請求項４】
請求項１、請求項２または請求項３のスキャナ装置において、
前記帳票監視手段が、帳票が差換えられたと判定したとき、帳票が差換えられたことを警告する画面を表示し、取引を終了させるようにしたことを特徴とするスキャナ装置。
【請求項５】
請求項１から請求項３または請求項４のスキャナ装置において、
前記帳票監視手段が、帳票のイメージデータに含まれる白い画素の比率の変化に基づいて帳票の抜取りを検知するようにしたことを特徴とするスキャナ装置。
【発明の詳細な説明】
【技術分野】
【０００１】
本発明は、伝票等の帳票のイメージデータを読取るスキャナ装置に関し、特に載置台に置かれた帳票を上方からカメラで撮影する非接触型のスキャナ装置に関する。
【背景技術】
【０００２】
従来の帳票取扱装置は、その内部に備えられたスキャナ装置で帳票に印刷等されたＯＣＲ文字やバーコードを読取り、処理が終了するとその帳票による取引が重複して行われないようにＯＣＲ文字等に消去線を印字するようにしている（例えば、特許文献１参照）。
このような帳票読取装置は、スキャナ装置や印字機構を内部に備えることにより大型化してしまうため、近年、装置全体が小型化された印字機能を有する非接触型のスキャナ装置が開発され、その非接触型のスキャナ装置で読取った帳票の処理が終了したとき、オペレータの操作により印字位置に挿入された帳票に通番等を印字して取引が重複して行われることを防止するようにしている。
【０００３】
このように非接触型のスキャナ装置に印字機能を備えた場合、オペレータの操作により帳票を読取位置に置き、また読取ったその帳票を印字位置に挿入する必要があるため、読取った帳票と異なる帳票に通番等を印字するおそれがある。このような問題に鑑みて読取った帳票が抜き取られたことを検知してオペレータにその旨を通知するようにしているものがある（例えば、特許文献２参照）。
【特許文献１】特開２００５−２２２３５４号公報（段落「００３５」〜段落「００４２」、図４、図５）
【特許文献２】特開２００２−９４７４９号公報（段落「００１０」〜段落「００１４」、図５）
【発明の開示】
【発明が解決しようとする課題】
【０００４】
しかしながら、上述した従来の技術においては、取引中に読取った帳票が抜き取られたことを検知することはできても読取った帳票が他の帳票に差換えられたことを検知することができないという問題がある。
本発明は、このような問題を解決することを課題とし、取引中に読取った帳票が他の帳票に差換えられたことを検知することができるようにすることを目的とする。
【課題を解決するための手段】
【０００５】
そのため、本発明は、帳票載置台に載置された帳票のイメージデータを非接触型スキャナで読取るスキャナ装置において、取引の開始時に読取った帳票のイメージデータを記憶しておく記憶部と、前記記憶部に記憶した帳票のイメージデータと該取引の開始後に読取った帳票のイメージデータとを比較して一致しないことを検知したとき、帳票が差換えられたと判定する帳票監視手段とを設けたことを特徴とする。
【発明の効果】
【０００６】
このようにした本発明は、取引中に読取った帳票が他の帳票に差換えられたことを検知することができるようになるという効果が得られる。
【発明を実施するための最良の形態】
【０００７】
以下、図面を参照して本発明によるスキャナ装置の実施例を説明する。
【実施例】
【０００８】
図１は実施例におけるスキャナ装置の構成を示すブロック図、図２は実施例におけるスキャナ装置の正面図、図３は実施例における帳票読取時の平面説明図、図４は実施例における帳票印字時の平面説明図である。
図において、１はスキャナ装置であり、銀行等の金融機関の窓口等に設置され、紙面に罫線や文字が記入された伝票等の帳票のイメージデータを非接触型スキャナで読取り、各種取引を行うためのオンライン窓口端末である。
【０００９】
２は帳票載置台であり、外光を反射させることがない黒色等の明度の低い樹脂等で形成され、帳票を載置するためのマットである。この帳票載置台２には記入された罫線や文字が上面になるように帳票を載置する。
３は帳票であり、上述したように罫線や文字が記入された紙面である。なお、帳票３は明度の高い、例えば白色の紙面である。この帳票３は、例えば図５に示すように左上部に通番等を印字するための印字領域３１が設けられ、また伝票種別、口座番号、顧客氏名、金額等の取引に必要な情報を記入するための領域が設けられ、これらの領域は罫線により描かれている。
【００１０】
１１は入力部であり、金融機関のオペレータの入力操作を受け付けるキーボードやマウス等で構成されたものである。
１２は表示部であり、液晶ディスプレイ等で構成され、各種情報を表示するためのものである。
１３はイメージ読取部であり、いわゆるＣＣＤ（Ｃｈａｒｇｅ  Ｃｏｕｐｌｅｄ  Ｄｅｖｉｃｅｓ）カメラ等で構成され、帳票のイメージデータ（画像データ）を取得するためのものである。このイメージ読取部１３は帳票載置台２の上方に設置され、図３に示すように帳票載置台２に載置された帳票３に記入された罫線や文字等を撮影し、２値のディジタルデータであるイメージデータとして読取ることができるようになっている。
【００１１】
イメージ読取部１３は、帳票載置台２に帳票３が載置されている場合はその帳票３のイメージデータを読取り、また帳票載置台２に帳票３が載置されていない場合は帳票載置台２のイメージデータを読取るようになっている。
１４は印字部であり、図４に示すようにオペレータの操作により挿入された帳票３の印字領域３１に通番等を印字するための印字機構を備えたものである。
【００１２】
１５は記憶部であり、磁気ディスク、半導体メモリ等の記憶手段である。この記憶部１５にはスキャナ装置１全体の動作を制御する制御プログラム（ソフトウェア）やイメージ読取部１３で読取った帳票のイメージデータ等を記憶する。
１６は制御部であり、ＣＰＵ等の演算および制御手段等で構成されたものである。この制御部１６は入力部１１、表示部１２、イメージ読取部１３、印字部１４、記憶部１５および通信回線を介して他の装置との間の通信を制御する図示しない通信部を含めてスキャナ装置１全体の動作を記憶部１５に格納された制御プログラム（ソフトウェア）に基づいて制御する。
【００１３】
また、制御部１６は帳票載置台２に載置された帳票が抜き取られたこと、および載置された帳票が差換えられたことを検知する帳票監視手段１６１を備えている。
この帳票監視手段１６１は、所定の時間が経過する度にイメージ読取部１３でイメージデータを読取り、その読取ったイメージデータに含まれる黒い画素数および白い画素数を算出して全体のイメージデータにおける白い画素の比率を算出し、白い画素の比率が予め記憶部１５に記憶された閾値を超えたとき帳票３が帳票載置台２に載置されていることを検知し、一方白い画素の比率がその閾値以下であるとき帳票３が帳票載置台２に載置されていないことを検知する。
【００１４】
したがって、帳票監視手段１６１は、イメージ読取部１３で読取ったイメージデータの白い画素の比率が閾値以下からその閾値を超えるように変化したとき、帳票３が帳票載置台２に載置されたことを検知し、白い画素の比率が閾値を超えている状態からその閾値以下に変化したとき、帳票３が帳票載置台２から抜き取られたことを検知することができるようになっている。
【００１５】
また、帳票監視手段１６１は、イメージ読取部１３で読取ったふたつの帳票３のイメージデータを比較してその帳票が一致しないことを検知することができる。
したがって、帳票監視手段１６１は、例えば取引の処理を行うためにイメージ読取部１３で読取った帳票３のイメージデータとその処理が終了して印字部１４で印字するときにイメージ読取部１３で読取った帳票３のイメージデータとを比較して帳票が差換えられたことを検知することができるようになっている。
【００１６】
上述した構成の作用について図６の実施例における帳票監視処理を示すフローチャートの図中Ｓで示すステップにしたがって説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００１７】
Ｓ１：スキャナ装置１の制御部１６の指示によりイメージ読取部１３は帳票載置台２に載置された帳票３のイメージデータを読取り、そのイメージデータを記憶部１５に記憶させる。
Ｓ２：制御部１６は、記憶部１５に記憶させた帳票３のイメージデータの印字領域３１に通番が印字されているか否かを判定する。制御部１６は通番が印字されていると判定するとその帳票３は取引の処理が行われている帳票として取引を終了する。一方、通番が印字されていないと判定すると処理をＳ３へ移行する。
【００１８】
Ｓ３：帳票３に通番が印字されていないと判定すると帳票監視手段１６１は、帳票載置台２に載置された帳票３の監視を開始する。
帳票監視手段１６１は、所定の周期でイメージ読取部１３が読取ったイメージデータに基づいて上述したように帳票３が帳票載置台２から抜き取られたことを監視するものとする。
【００１９】
Ｓ４：オンライン窓口端末としてのスキャナ装置１は読取った帳票３に基づいて通常の取引の処理を行うものとする。
Ｓ５：帳票監視手段１６１が帳票載置台２から帳票３が抜き取られたことを検知すると処理をＳ６へ移行し、検知しない場合は処理をＳ７へ移行する。
Ｓ６：帳票載置台２から帳票３が抜き取られたことを検知すると制御部１６は帳票３が抜取られたことをオペレータに知らせるための抜取り警告画面を表示部１２に表示する。この抜取り警告画面は図７に示すように「警告  伝票が抜き取られました」等の文言および取引を強制的に終了させるための「確認」ボタン等で構成されたものである。
【００２０】
抜取り警告画面の「確認」ボタンの押下を検知すると制御部１６は当該帳票３の取引を強制的に終了させる。
Ｓ７：帳票載置台２から帳票３が抜き取られたことを検知しなかった場合、帳票３に通番を印字する動作の前後を含め、その印字動作と並行して制御部１６の指示によりイメージ読取部１３はその帳票３のイメージデータを読取り、そのイメージデータを記憶部１５に記憶させる。
【００２１】
これは帳票載置台２から帳票３が抜き取られたことを検知しなかった場合であっても、同一サイズの帳票が取引の対象になっている帳票３に重ねられたときのように帳票３の差換えが行われる可能性があり、それを検知するためである。
Ｓ８：帳票３のイメージデータを記憶部１５に記憶させると帳票監視手段１６１はＳ１で読取って記憶部１５に記憶させた帳票３のイメージデータとＳ７で読取った帳票３のイメージデータ、すなわち取引開始時の帳票のイメージデータと通番印字時の帳票のイメージデータとを比較して一致するか否かを判定する。
【００２２】
ここで、通番印字時とは、印字動作中だけを示すものでなくその印字動作の前後も含む概念である（以下同様）。
なお、通番印字時の帳票のイメージデータの印字領域が印字部１４で覆われてしまっている場合、それぞれの帳票のイメージデータから口座番号、顧客氏名、金額等の印字部１４で覆われない所定の部位を切り出し、その部位を比較するものとする。
【００２３】
比較した結果、一致しない場合、帳票が差換えられたものとして処理をＳ９へ移行し、一致した場合、帳票は差換えられていないものとして処理をＳ１０へ移行する。
Ｓ９：取引開始時の帳票のイメージデータと通番印字時の帳票のイメージデータとが一致しない場合、すなわち帳票が差換えられたことを検知した場合、制御部１６は帳票３が別の帳票に差換えられたことをオペレータに知らせるための差換え警告画面を表示部１２に表示する。この差換え警告画面は図８に示すように「警告  伝票が差換えられました」等の文言および取引を強制的に終了させるための「確認」ボタン等で構成されたものである。
【００２４】
差換え警告画面の「確認」ボタンの押下を検知すると制御部１６は当該帳票３の取引を強制的に終了させる。
Ｓ１０：一方、取引開始時の帳票のイメージデータと通番印字時の帳票のイメージデータとが一致した場合、すなわち帳票が差換えられていないことを検知した場合、帳票監視手段１６１は帳票載置台２に載置された帳票３の監視を終了し、取引を終了する。
【００２５】
このようにしてスキャン装置１の帳票監視手段１６１は帳票載置台２に載置された帳票３をイメージ読取開始後から通番の印字前、印字中、印字後を含む取引が終了するまでの取引実行中に監視する帳票監視処理を行い、取引中の帳票の抜取りおよび差換えを検知する。
以上説明したように、本実施例では、スキャナ装置の帳票載置台に載置された帳票をイメージ読取開始後から取引が終了するまでの取引実行中に監視する帳票監視手段を設けたことにより、取引中の帳票の抜取りおよび差換えを検知することができるようになり、取引内容以外での取引チェック機能が向上するという効果が得られる。
【００２６】
また、取引中の帳票の抜取りおよび差換えを検知すると表示部に警告メッセージを表示するようにしたことにより、オペレータに対して不正行為を牽制することができるようになるという効果が得られる。
さらに取引中の帳票の抜取りおよび差換えを検知すると取引を強制的に終了することにより不正行為を防止することができるという効果が得られる。
【００２７】
またさらに、通番印字時に再度帳票のイメージデータを読取り、取引開始時の帳票のイメージデータとの差異を検知するようにしたことにより、取引の堅確性を向上させることができるという効果が得られる。
【図面の簡単な説明】
【００２８】
【図１】実施例におけるスキャナ装置の構成を示すブロック図
【図２】実施例におけるスキャナ装置の正面図
【図３】実施例における帳票読取時の平面説明図
【図４】実施例における帳票印字時の平面説明図
【図５】実施例における帳票の説明図
【図６】実施例における帳票監視処理を示すフローチャート
【図７】実施例における帳票抜取り警告画面の説明図
【図８】実施例における帳票差換え警告画面の説明図
【符号の説明】
【００２９】
１    スキャナ装置
２    帳票載置台
３    帳票
１１  入力部
１２  表示部
１３  イメージ読取部
１４  印字部
１５  記憶部
１６  制御部
１６１  帳票監視手段
【図１】
2009232179.tif 000003
【図２】
2009232179.tif 000004
【図３】
2009232179.tif 000005
【図４】
2009232179.tif 000006
【図５】
2009232179.tif 000007
【図６】
2009232179.tif 000008
【図７】
2009232179.tif 000009
【図８】
2009232179.tif 000010